(57)【要約】本発明は開き戸のロック装置に関するものであって、一般的に使われる保安用メインロック装置とは別途にドア枠に設置される回動レバーを作動させることによって、開き戸の回転開放側面がドア枠フレームに縦方向に多数個のポイントで共に密着するようにし、このような密着状態の固定維持がより容易となるように構成され、補助ロック装置としての活用度が高い開き戸のロック装置に関するものである。
2019527787.tif 000002
【特許請求の範囲】
【請求項１】
ドア枠の一側に設置されたドアヒンジ（１ｂ）を通じてドア枠の内部に設置される開き戸（１）の回転開放側面とドア枠フレーム（１ａ）の間に設置される開き戸（１）のロック装置であって、
開き戸（１）の回転開放側面に縦方向に離隔して設置される多数個の密着ガイドプレート（１３０）と、
開き戸（１）の回転開放側面がドア枠フレーム（１ａ）側に閉まった状態で、前記密着ガイドプレート（１３０）と接触状態で開き戸（１）の回転開放側面をドア枠フレーム（１ａ）側に引くことによって圧着ロック状態を具現し、前記密着ガイドプレート（１３０）と非接触状態で開き戸（１）の回転開放側面がドア枠フレーム（１ａ）側に対して非圧着ロック状態を具現するように、ドア枠フレーム（１ａ）側に縦方向に離隔して設置される多数個の加圧ロール（１２０）と、
前記加圧ロール（１２０）がドア枠フレーム側（１ａ）側に縦方向にスライディング移動可能に設置されるように、ドア枠フレーム（１ａ）に縦方向に提供されたスライディングポケット（１１０ａ）に設置され、前面に多数個の加圧ロール（１２０）が縦方向に離隔するように提供される駆動プレート（１１０）と、
前記駆動プレート（１１０）上に設置された前記加圧ロール（１２０）のうち一つ以上の第１加圧ロール（１２０ａ）に噛み合って縦方向移動変位Ｈを提供して前記駆動プレート（１１０）の相応する縦方向移動変位Ｈを誘導し、前記駆動プレート（１１０）の縦方向移動変位Ｈにより誘導される残りの第２加圧ロール（１２０）ｂの縦方向移動変位Ｈを生成するようにし、前記第２加圧ロール（１２０ｂ）が縦方向移動変位Ｈを通じて前記密着ガイドプレート（１３０）との接触加圧状態位置と非接触非加圧状態位置の間をスイッチングするように、ドア枠フレーム（１ａ）に設置されるスイッチング装置（１００）を含んでなり、そして
前記スイッチング装置（１００）は、
ドア枠フレーム（１ａ）に固定設置されるハウジング（１０）；
ハウジングの前面で縦方向に回動するように前記ハウジング（１０）に第１ヒンジピン（３２）により設置される回動レバー（３０）；
前記回動レバー（３０）の第１ヒンジピン（３２）と回動端部の間の設定位置に第２ヒンジピン（４０ａ）により一端部が連結される転換リンクバー（４０）；
前記転換リンクバー（４０）の他端部に第３ヒンジピン（（４０ｂ）により連結されて前記回動レバー（３０）の縦方向回動作動に従ってハウジング（１０）内で縦方向直線スライディング移動するスライディングブロック（２０）；
前記回動レバー（３０）の縦方向回動作動による前記スライディングブロック（２０）の変位がハウジング（１０）内での縦方向直線スライディング変位に制限されるようにするために、前記ハウジング（１０）の背面をカバーするように形成され、縦方向直線スライディング変位をガイドしその高さを制限する大きさを有するように、縦方向に穿孔形成されたスライディングガイド溝（５２）を具備した蓋板（５０）；および
前記スライディングブロック（２０）と一体に形成され、前記蓋板（５０）に形成された前記スライディングガイド溝（５２）の外部に突出するように提供されて、前記第１加圧ロール（１２０ａ）に噛み合った状態で前記スライディングガイド溝（５２）に沿って縦方向にスライディング移動するスライダーフォーク（２５）を含んでなることを特徴とする、開き戸のロック装置。
【請求項２】
前記第２加圧ロール（１２０ｂ）が前記密着ガイドプレート（１３０）との接触加圧状態位置または非接触非加圧状態位置に固定された状態を維持できるようにするために、前記回動レバー（３０）を回動作動させるように、設定大きさ以上の外力が回動レバー（３０）に印加される前に回動レバー（３０）の解除作動を抑制するための回動レバー解除回動抑制手段が、前記スイッチング装置（１００）に追加的に提供されることを特徴とする、請求項１に記載の開き戸のロック装置。
【請求項３】
前記回動レバー解除回動抑制手段の一つである第１回動レバー解除回動抑制手段を提供するために、前記スイッチング装置（１００）を構成する回動レバー（３０）が前記第１ヒンジピン（３２）を中心に上方回動して第２ヒンジピン（４０ａ）が第１ヒンジピン（３２）よりも上方に位置するように回動する間に、第３ヒンジピン（４０ｂ）、第１ヒンジピン（３２）、および第２ヒンジピン（４０ａ）が順に上方に傾斜した直線をなす中立状態（Ｎ．Ａ．）を有し、前記中立状態（Ｎ．Ａ．）に到達する前にスライディングブロック（２０）およびスライダーフォーク（２５）のさらなる自由な上方移動を制限する位置にスライディングガイド溝上限部（Ｕ．Ｌ．）が設定され、これから中立状態（Ｎ．Ａ．）までの回動レバー（３０）の上方回動の間に、スライディングガイド溝上限部（Ｕ．Ｌ．）を超過する上方変位によって誘導される前記蓋板（５０）の上部領域（５０ｂ）の弾性圧縮変形を通じて、スライディングブロックおよびスライダーフォークのさらなる上方移動が弾性的に収容され、前記中立状態を超過して回動レバーが垂直上向き状態に至るまでさらに上方回動する区間では、弾性圧縮された前記蓋板（５０）の上部領域（５０ｂ）の弾性回復変形を通じて第３ヒンジピン（４０ｂ）を通じてリンクバー（４０）に連結されたスライディングブロック（２０）およびスライダーフォーク（２５）の微細下方移動が発生するようにし、微細下方移動を回復できるスライディングブロックおよびスライダーフォークの微細上方移動による前記蓋板（５０）の上部領域（５０ｂ）の弾性圧縮変形が再遂行され得る大きさの外力が回動レバー（３０）に印加されるまで回動レバー（３０）と、そしてスライディングブロック（２０）およびこれと一体化されたスライダーフォーク（２５）の反対方向作動が制限されるように前記スライディングガイド溝（５２）の前記スライディングガイド溝上限部（Ｕ．Ｌ．）の位置が設定されることを特徴とする、請求項２に記載の開き戸のロック装置。
【請求項４】
前記回動レバー解除回動抑制手段のうち他の一つとなる第２回動レバー解除回動抑制手段を提供するために、前記スイッチング装置（１００）を構成する回動レバー（３０）が前記第１ヒンジピン（３２）を中心に垂直下向き状態まで下方回動して、第２ヒンジピン（４０ａ）が第１ヒンジピン（３２）よりも下方に位置するように回動して第１ヒンジピン（３２）、第２ヒンジピン（４０ａ）、および第３ヒンジピン（４０ｂ）が順に下方に三角形の構造に配置される状態を有し、前記垂直下向き状態に到達する前にスライディングブロック（２０）およびスライダーフォーク（２５）のさらなる自由な下方移動を制限する位置にスライディングガイド溝下限部（Ｌ．Ｌ）が設定され、これから垂直下向き状態になるまでの回動レバー（３０）の下方回動の間にスライディングガイド溝下限部（Ｌ．Ｌ．）を超過する下方変位によって誘導される前記蓋板（５０）の下部領域（５０ａ）の弾性圧縮変形を通じて、スライディングブロック（２０）およびスライダーフォーク（２５）のさらなる下方移動が弾性的に収容され、スライディングブロック（２０）およびスライダーフォーク（２５）の自由な下方移動が制限されるスライディングガイド溝下限部（Ｌ．Ｌ）到達状態を超過して回動レバー（３０）が垂直下向き状態になるまで下方回動する区間中に回動レバー（３０）の強制的な追加下方微細移動および復元を誘導できるように、ハウジングと回動レバーの間にレバー下方推進手段およびレバー復元手段が提供され、これによって前記レバー復元手段から前記レバー下方推進手段を再び経て反対方向に回動する回動レバー（３０）により回動レバー（３０）の強制的な追加下方微細移動による前記蓋板下部領域（５０ａ）の弾性圧縮変形が再遂行されるまで回動レバー（３０）と、そしてスライディングブロック（２０）およびこれと一体化されたスライダーフォーク（２５）の反対方向作動が制限されることを特徴とする、請求項２に記載の開き戸のロック装置。
【請求項５】
前記レバー下方推進手段は、ハウジング（１０）側壁に突出して形成される係止突起（１０ｓ）；前記係止突起（１０ｓ）と対応するように回動レバー（３０）の側面に凹入形成される係止溝（３０ｓ）の出入り部に提供される突出係止段（３０ｓａ）；および前記突出係止段（３０ｓａ）が前記係止突起（１０ｓ）の下端部から係止状態を抜け出す時に進行される回動レバー（３０）の下方移動が収容されるように、第１ヒンジピン（３２）が締結される回動レバー（３０）のヒンジ孔であって、第１ヒンジピン（３２）に対して上下方向のクリアランスを含む長孔部（３０ｅ）を含んでなり、そして前記レバー復元手段は蓋板下部領域（５０ａ）の弾性回復変形；および前記蓋板下部領域（５０ａ）の弾性回復変形を収容できるように提供される係止溝（３０ｓ）の内部の係止突起拡張装着部（３０ｓｅ）を含んでなることを特徴とする、請求項４に記載の開き戸のロック装置。
【請求項６】
前記転換リンクバー（４０）の両端部との干渉障害が発生しないように前記回動レバー（３０）および前記スライディングブロック（２０）に設定大きさおよび形状の端部収容溝（３０ａ、（２０ａ）が提供されることを特徴とする、請求項１〜請求項４のいずれか一項に記載の開き戸のロック装置。
【請求項７】
前記スライディングブロック（２０）がハウジング（１０）内で騒音なしに円滑に縦方向直線スライディング移動を進行できるように、前記スライディングブロック（２０）と前記ハウジング（１０）の間には自己潤滑性を有する素材を含んで形成されるスライディングガイドパッド（１５）が設置されることを特徴とする、請求項１〜請求項４のいずれか一項に記載の開き戸のロック装置。
【発明の詳細な説明】
【技術分野】
【０００１】
本発明は開き戸のロック装置に関するものであって、一般的に使われる保安用メインロック装置とは別途にドア枠に設置される回動レバーを作動させることによって、開き戸の回転開放側面がドア枠フレームに縦方向に多数個のポイントで共に密着するようにし、このような密着状態の固定維持がより容易となるように構成され、開き戸の補助ロック装置として活用され得る、開き戸のロック装置に関するものである。
【背景技術】
【０００２】
開き戸構成で構成された建物の出入り用ドアと室内に設置される各種開き戸（本明細書では出入り用開き戸（ｈｉｎｇｅｄ  ｄｏｏｒ  ｆｏｒ  ｅｎｔｅｒａｎｃｅ）および開き戸タイプの窓（ｈｉｎｇｅｄ  ｗｉｎｄｏｗ）を包括して「開き戸（ｈｉｎｇｅｄ  ｄｏｏｒ）」と指称）には、多様なロック装置が使われている。このような開き戸および開き戸タイプの窓のロック装置の一般的な先行技術としては、大韓民国登録特許公報（Ｂ１）第１０−１２３７６８１号（２０１３．０２．２６．）の「開き戸のロック装置」、大韓民国登録実用新案公報（Ｙ１）第２０−０２７１０６０号（２００２．０４．０９．）の「開き戸のロック装置」、および大韓民国登録実用新案公報（Ｙ１）第２０−０４７６６４６号（２０１５．０３．１８．）の「フック方向転換式開き戸のロック装置」などのような多様な構造のロック装置が提案されているが、このような従来技術によるロック装置は、図１ａ〜図１ｃに図示された通り、ドア枠１ａの一側に設置されたドアヒンジ１ｂを通じてドア枠の内部に設置される開き戸１の回転開放側面に設置されたロッキングシリンダー１ｓが、ドア枠１ａフレームと対向する位置に設置されたシリンダーポケット１ｓａの内部に前進挿入されてロック状態（ｌｏｃｋｅｄ  ｓｔａｔｅ）となるか（図１ｂ、および図２ｂ参照）、ロッキングシリンダー１ｓがシリンダーポケット１ｓａから抜け出て、開き戸１側に後退してロックが解除されて非ロック状態（ｕｎｌｏｃｋｅｄ  ｓｔａｔｅ）となる（図１ｃ参照）構造であって、ロッキングシリンダー１ｓのシリンダーポケット１ｓａに対する前進および後退作動が開き戸１に装着されたドアハンドル１ｈの手動回転作動によって遂行されたり、その他多様な電子式ロック装置によって遂行され得る。
【０００３】
しかし、このような従来のロック装置は保安用として利用され、単に開き戸がドア枠で閉まったロック状態を維持するための構造の提供に留まってしまうのが一般的であり、また、図１ａに図示された通り、開き戸の長さ方向に適切な一つのポイント位置でロック機能を具現したものに過ぎず、併せて開き戸が閉まったロック状態を横断面で拡大図示した図２ｂに示した通り、ロッキングシリンダー１ｓとシリンダーポケット１ｓａの間には一定大きさの作動クリアランス△ｇが円滑な作動のために必ず必要となるため、強い風が吹く場合などに開き戸がドア枠から間隙を有して分離されて良好な気密状態の維持が困難であり、ひいてはガタツキが発生して騒音を誘発することになる問題点を有している。
【０００４】
また、このような開き戸のロック装置として、多様な電子式の開閉装置の利用度が最近大きく増加しているが、このような電子式開閉装置（電子式ドアロック）の場合、パスワードの露出や外部からの強い電気衝撃などによりロック状態が解除されることによって室内への侵入経路が提供され得るため、別途の追加のロック手段が必要となる。
【先行技術文献】
【特許文献】
【０００５】
【特許文献１】大韓民国登録特許公報（Ｂ１）１０−１２３７６８１（２０１３．０２．２６．）
【特許文献２】大韓民国登録実用新案公報（Ｙ１）２０−０２７１０６０（２００２．０４．０９．）
【特許文献３】大韓民国登録実用新案公報（Ｙ１）２０−０４７６６４６（２０１５．０３．１８．）
【発明の概要】
【発明が解決しようとする課題】
【０００６】
本発明は前述した従来技術の一般的かつ共通の問題点を解決するためのものであって、本発明を通じて解決しようとする技術的課題は、開き戸が閉まった状態で、一般的なロック装置によってロック状態が具現された後に、より良好な気密状態を提供するために開き戸とドア枠の間の間隙を制御できる補助ロック装置として活用可能な、開き戸のロック装置を提供することである。
【０００７】
また、開き戸に一般的に使われるロック装置が有するセキュリティー上の問題点を補完し解決するために、開き戸によって室内側に区分される空間側でのみ接近して、レバーを回動させることによってのみロックまたは開放できるようにする、補助ロック装置として活用可能な開き戸のロック装置を提供することを本発明の技術的な課題としている。
【課題を解決するための手段】
【０００８】
本発明は前述した技術的課題を解決するために、ドア枠の一側に設置されたドアヒンジを通じてドア枠の内部に設置される開き戸の回転開放側面とドア枠フレーム間に設置される開き戸のロック装置であって、開き戸の回転開放側面に縦方向に離隔して設置される多数個の密着ガイドプレートと、開き戸の回転開放側面がドア枠フレーム側に閉まった状態で、前記密着ガイドプレートと接触状態で開き戸の回転開放側面をドア枠フレーム側に引くことによって圧着ロック状態を具現し、前記密着ガイドプレートと非接触状態で開き戸の回転開放側面がドア枠フレーム側に対して非圧着ロック状態を具現するように、ドア枠フレーム側に縦方向に離隔して設置される多数個の加圧ロールと、前記加圧ロールがドア枠フレーム側から縦方向にスライディング移動可能に設置されるように、ドア枠フレームに縦方向に提供されたスライディングポケットに設置され、前面に多数個の加圧ロールが縦方向に離隔するように提供される駆動プレートと、前記駆動プレート上に設置された前記加圧ロールのうち、一つ以上の第１加圧ロールに噛み合って縦方向移動変位を提供して前記駆動プレートの相応する縦方向移動変位を誘導し、前記駆動プレートの縦方向移動変位によって誘導される残りの第２加圧ロールの縦方向移動変位を生成するようにし、前記第２加圧ロールが縦方向移動変位を通じて前記密着ガイドプレートとの接触加圧状態位置と非接触非加圧状態位置の間をスイッチングするように、ドア枠フレームに設置されるスイッチング装置を含んでなり、そして前記スイッチング装置は、ドア枠フレームに固定設置されるハウジング；ハウジングの前面で縦方向に回動するように前記ハウジングに第１ヒンジピンによって設置される回動レバー；前記回動レバーの第１ヒンジピンと回動端部の間の設定位置に第２ヒンジピンによって一端部が連結される転換リンクバー；前記転換リンクバーの他端部に第３ヒンジピンによって連結されて前記回動レバーの縦方向回動作動に従ってハウジング内で縦方向直線スライディング移動するスライディングブロック；前記回動レバーの縦方向回動作動による前記スライディングブロックの変位がハウジング内での縦方向直線スライディング変位に制限されるようにするために、前記ハウジングの背面をカバーするように形成され、縦方向直線スライディング変位をガイドしその高さを制限する大きさを有するように、縦方向に穿孔形成されたスライディングガイド溝を具備した蓋板；および前記スライディングブロックと一体に形成され、前記蓋板に形成された前記スライディングガイド溝の外部に突出するように提供されて、前記第１加圧ロールに噛み合った状態で前記スライディングガイド溝に沿って縦方向にスライディング移動するスライダーフォークを含んでなることを特徴とする、開き戸のロック装置を提供する。
【０００９】
また、前記第２加圧ロールが前記密着ガイドプレートとの接触加圧状態位置または非接触非加圧状態位置に固定された状態を維持できるようにするために、前記回動レバーを回動作動させるように、設定大きさ以上の外力が回動レバーに印加される前に回動レバーの解除作動を抑制するための回動レバー解除回動抑制手段が、前記スイッチング装置にさらに提供されることがさらに好ましい。
【００１０】
ここで、前記回動レバー解除回動抑制手段の一つである第１回動レバー解除回動抑制手段を提供するために、前記スイッチング装置を構成する回動レバーが前記第１ヒンジピンを中心に上方回動して第２ヒンジピンが第１ヒンジピンよりも上方に位置するように回動する間に、第３ヒンジピン、第１ヒンジピン、および第２ヒンジピンが順に上方に傾斜した直線をなす中立状態を有し、前記中立状態に到達する前にスライディングブロックおよびスライダーフォークのさらなる自由な上方移動を制限する位置にスライディングガイド溝上限部が設定され、これから中立状態までの回動レバーの上方回動の間に、スライディングガイド溝上限部を超過する上方変位によって誘導される前記蓋板の上部領域の弾性圧縮変形を通じて、スライディングブロックおよびスライダーフォークのさらなる上方移動が弾性的に収容され、前記中立状態を超過して回動レバーが垂直上向き状態に至るまで上方回動する区間では、弾性圧縮された前記蓋板の上部領域の弾性回復変形を通じて第３ヒンジピンを通じてリンクバーに連結されたスライディングブロックおよびスライダーフォークの微細下方移動が発生するようにし、微細下方移動を回復できるスライディングブロックおよびスライダーフォークの微細上方移動による前記蓋板上部領域の弾性圧縮変形が再遂行され得る大きさの外力が回動レバーに印加されるまで回動レバーと、そしてスライディングブロックおよびこれと一体化されたスライダーフォークの反対方向作動（下方回動および下方移動）が制限されるように、前記スライディングガイド溝５２の前記スライディングガイド溝上限部Ｕ．Ｌ．の位置が設定され得る。
【００１１】
そして、前記回動レバー解除回動抑制手段のうち他の一つである第２回動レバー解除回動抑制手段を提供するために、前記スイッチング装置を構成する回動レバーが前記第１ヒンジピンを中心に垂直下向き状態まで下方回動して、第２ヒンジピンが第１ヒンジピンよりも下方に位置するように回動して第１ヒンジピン、第２ヒンジピン、および第３ヒンジピンが順に下方に三角形の構造に配置される状態を有し、前記垂直下向き状態に到達する前にスライディングブロックおよびスライダーフォークの自由な下方移動を制限する位置にスライディングガイド溝下限部Ｌ．Ｌが設定され、これから垂直下向き状態になるまでの回動レバーの下方回動の間に、前記ハウジングの蓋板下部領域の弾性圧縮変形を通じて、スライディングブロックおよびスライダーフォークのさらなる下方移動が弾性的に収容され、スライディングブロックおよびスライダーフォークの自由な下方移動が制限されるスライディングガイド溝下限部到達状態を超過して回動レバーが下方回動する区間中に回動レバーの強制的な追加下方微細移動およびその復元のための上方微細移動を誘導できるように、ハウジングと回動レバーの間にレバー下方推進手段およびレバー復元手段が提供されることが好ましく、これにより、前記レバー復元手段から前記レバー下方推進手段を再び経て反対方向に回動する回動レバーによって回動レバーの強制的な追加下方微細移動による前記蓋板下部領域の弾性圧縮変形が再遂行されるまで回動レバーと、そしてスライディングブロックおよびこれと一体化されたスライダーフォークの反対方向作動（上方回動および上方移動）が制限されるようにする。
【００１２】
ここで、レバー下方推進手段は、ハウジング側壁に突出して形成される係止突起；前記係止突起と対応するように回動レバーの側面に凹入形成される係止溝の出入り部に提供される突出係止段；および前記突出係止段が前記係止突起の下端部から係止状態を抜け出す時に進行される回動レバーの下方移動が収容されるように、第１ヒンジピンが締結される回動レバーのヒンジ孔であって、ヒンジピンに対して上下方向のクリアランスを含む長孔部を含んでなり、そしてレバー復元手段は蓋板下部領域の弾性回復変形；および前記蓋板下部領域の弾性回復変形を収容できるように提供される係止溝内部の係止突起拡張装着部を含んで構成される。
【発明の効果】
【００１３】
本発明によると、開き戸が閉まった状態で一般的なロック装置によってロック状態が具現された後に、開き戸とドア枠の間の間隙を縦方向に多数個のポイントで緊密に密着制御できる補助ロック装置が提供されることによって、より良好な気密状態を達成できる効果が提供され、ひいては強風が吹いても開き戸がガタツキが発生して騒音を誘発しなくなる効果が提供される。
【００１４】
特に、本発明に係る補助ロック装置を構成するスイッチング装置に、回動レバーを回動作動させるように設定大きさ以上の外力が回動レバーに印加される前に、回動レバーの解除作動を抑制するための回動レバー解除回動抑制手段がさらに提供されることによって、スイッチング装置の第２加圧ロールがドア枠に設置された密着ガイドプレートとの接触加圧状態位置または非接触非加圧状態位置に固定された状態を維持できるようにする効果を提供することになる。
【００１５】
また、本発明によると、開き戸によって室内側に区分される空間側でのみ接近して、レバーを回動させることによってのみロックまたは開放できるようにする補助ロック装置が提供されることによって、開き戸に一般的に使われる電子式ロック装置が有するセキュリティー上の問題点を補完し解決できる効果が提供される。
【図面の簡単な説明】
【００１６】
【図１ａ】ドア枠の一側に設置されたドアヒンジを通じてドア枠の内部に開き戸が設置される状態の正面図。
【図１ｂ】図１ａのａ−ａ’線断面図であって、一般的なドアハンドルによるロック状態の断面図。
【図１ｃ】図１ａのａ−ａ’線断面図であって、一般的なドアハンドルによる非ロック状態の断面図。
【図２ａ】ドア枠の一側に設置されたドアヒンジを通じてドア枠の内部に設置される開き戸の回転開放側面とドア枠フレームの間に本発明に係る開き戸のロック装置を設置した状態の正面図。
【図２ｂ】図２ａのａ−ａ’線断面図であって、ロック状態の断面図。
【図２ｃ】図２ａのｂ−ｂ’線断面図であって、非圧着／ロック状態の断面図。
【図２ｄ】図２ａのｂ−ｂ’線断面図であって、圧着／ロック状態の断面図。
【図３ａ】本発明に係る開き戸のロック装置がドア枠の一側に設置された状態で回動レバーを上下方向に回動作動させることによって、加圧ロールが設置された駆動プレートがドア枠フレーム側から縦方向にスライディングされて非圧着／ロック状態から圧着／ロック状態に転換される作動状態を図示した図面。
【図３ｂ】図３ａに図示された加圧ロールが設置された駆動プレートがドア枠フレーム側から縦方向にスライディングされる状態によって、開き戸の回転開放側面に縦方向に離隔して設置される多数個の密着ガイドプレートがドア枠フレーム側に引かれて（Ｐｕｌｌ）非圧着／ロック状態から圧着／ロック状態に転換される作動状態を図示した図面。
【図４ａ】本発明に係る開き戸のロック装置を構成するスイッチング装置であって、加圧ロールが縦方向移動変位を通じて前記密着ガイドプレートとの接触加圧状態位置と非接触非加圧状態位置の間をスイッチングするように、ドア枠フレームに設置されるスイッチング装置の作動状態を、分解斜視図を通じて段階別に図示した図面。
【図４ｂ】本発明に係る開き戸のロック装置を構成するスイッチング装置であって、加圧ロールが縦方向移動変位を通じて前記密着ガイドプレートとの接触加圧状態位置と非接触非加圧状態位置の間をスイッチングするように、ドア枠フレームに設置されるスイッチング装置の作動状態を、分解斜視図を通じて段階別に図示した図面。
【図４ｃ】本発明に係る開き戸のロック装置を構成するスイッチング装置であって、加圧ロールが縦方向移動変位を通じて前記密着ガイドプレートとの接触加圧状態位置と非接触非加圧状態位置の間をスイッチングするように、ドア枠フレームに設置されるスイッチング装置の作動状態を、分解斜視図を通じて段階別に図示した図面。
【図４ｄ】本発明に係る開き戸のロック装置を構成するスイッチング装置であって、加圧ロールが縦方向移動変位を通じて前記密着ガイドプレートとの接触加圧状態位置と非接触非加圧状態位置の間をスイッチングするように、ドア枠フレームに設置されるスイッチング装置の作動状態を、分解斜視図を通じて段階別に図示した図面。
【図４ｅ】本発明に係る開き戸のロック装置を構成するスイッチング装置であって、加圧ロールが縦方向移動変位を通じて前記密着ガイドプレートとの接触加圧状態位置と非接触非加圧状態位置の間をスイッチングするように、ドア枠フレームに設置されるスイッチング装置の作動状態を、分解斜視図を通じて段階別に図示した図面。
【図５ａ】本発明に係る開き戸のロック装置を構成するスイッチング装置で加圧ロールが前記密着ガイドプレートとの接触加圧状態（圧着／ロック状態）位置または非接触非加圧状態（非圧着／ロック状態）位置に固定された状態を維持できるようにするために、回動レバーの反対作動を抑制するための回動レバー回動抑制手段の必要性を説明するための図面。
【図５ｂ】本発明に係る開き戸のロック装置を構成するスイッチング装置で加圧ロールが前記密着ガイドプレートとの接触加圧状態（圧着／ロック状態）位置または非接触非加圧状態（非圧着／ロック状態）位置に固定された状態を維持できるようにするために、回動レバーの反対作動を抑制するための回動レバー回動抑制手段の必要性を説明するための図面。
【図６ａ】本発明に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態の段階別断面図。
【図６ｂ】本発明に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態の段階別断面図。
【図６ｃ】本発明に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態の段階別断面図。
【図６ｄ】本発明に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態の段階別断面図。
【図６ｅ】本発明に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態の段階別断面図。
【図６ｆ】スライディングブロックおよびスライダーフォークの上方固定状態（接触加圧状態、圧着／ロック状態）で回動レバーの反対作動を通じてスライディングブロックおよびスライダーフォークの上方固定状態が解除される状態を図示した断面図。
【図７ａ】本発明の好ましい一実施例に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態を模式的に図示した段階別断面図。
【図７ｂ】本発明の好ましい一実施例に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態を模式的に図示した段階別断面図。
【図７ｃ】本発明の好ましい一実施例に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態を模式的に図示した段階別断面図。
【図７ｄ】本発明の好ましい一実施例に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態を模式的に図示した段階別断面図。
【図７ｅ】本発明の好ましい一実施例に係る開き戸のロック装置がドア枠の一側に設置された状態で回動レバーを上方に回動作動させることによって、スライディングブロックおよびスライダーフォークの上方移動を通じて接触加圧状態（圧着／ロック状態）を具現する作動状態を模式的に図示した段階別断面図。
【図７ｆ】スライディングブロックおよびスライダーフォークの上方固定状態（接触加圧状態、圧着／ロック状態）で回動レバーの反対作動を通じてスライディングブロックおよびスライダーフォークの上方固定状態が解除される状態を模式的に図示した断面図。
【図７ｇ】回動レバーの下方作動を通じてスライディングブロックおよびスライダーフォークの下方固定状態（非接触非加圧状態の維持、非圧着／ロック状態）に到達して、その状態で固定維持される状態を模式的に図示した段階別断面図。
【図７ｈ】回動レバーの下方作動を通じてスライディングブロックおよびスライダーフォークの下方固定状態（非接触非加圧状態の維持、非圧着／ロック状態）に到達して、その状態で固定維持される状態を模式的に図示した段階別断面図。
【図７ｉ】回動レバーの下方作動を通じてスライディングブロックおよびスライダーフォークの下方固定状態（非接触非加圧状態の維持、非圧着／ロック状態）に到達して、その状態で固定維持される状態を模式的に図示した段階別断面図。
【図７ｊ】回動レバーの下方作動を通じてスライディングブロックおよびスライダーフォークの下方固定状態（非接触非加圧状態の維持、非圧着／ロック状態）に到達して、その状態で固定維持される状態を模式的に図示した段階別断面図。
【図７ｋ】スライディングブロックおよびスライダーフォークの下方固定状態（非接触非加圧状態、非圧着／ロック状態）で回動レバーの反対方向回動を開始するために回動レバーを下方に強制的に移動させる状態を図示した断面図。
【発明を実施するための形態】
【００１７】
以下、添付した図面を参照して本発明の実施例について、本発明が属する技術分野で通常の知識を有する者が容易に実施できるように詳細に説明する。しかし、本発明多様な異なる形態で具現され得、ここで説明する実施例に限定されない。
【００１８】
本発明によると、添付図面図２ａおよび図２ｃに図示された通り、ドア枠の一側に設置されたドアヒンジ１ｂを通じてドア枠の内部に設置される開き戸１の回転開放側面とドア枠フレーム１ａの間に設置される開き戸１の補助ロック装置であって、添付図面図２ａ〜図７ｋに図示された通り、開き戸１の回転開放側面に縦方向に離隔して設置される多数個の密着ガイドプレート１３０と、開き戸１の回転開放側面がドア枠フレーム１ａ側に閉まった状態で、前記密着ガイドプレート１３０と接触状態で開き戸１の回転開放側面をドア枠フレーム１ａ側に引くことによって圧着ロック状態を具現し、前記密着ガイドプレート１３０と非接触状態で開き戸１の回転開放側面がドア枠フレーム１ａ側に対して非圧着ロック状態を具現するように、ドア枠フレーム１ａ側に縦方向に離隔して設置される多数個の加圧ロール１２０と、前記加圧ロール１２０がドア枠フレーム１ａ側に縦方向にスライディング移動可能に設置されるように、ドア枠フレーム１ａに縦方向に提供されたスライディングポケット１１０ａに設置され、前面に多数個の加圧ロール１２０が縦方向に離隔するように提供される駆動プレート１１０と、前記駆動プレート１１０上に設置された前記加圧ロール１２０のうち一つ以上の第１加圧ロール１２０ａに噛み合って縦方向移動変位Ｈを提供して前記駆動プレート１１０の相応する縦方向移動変位Ｈを誘導し、前記駆動プレート１１０の縦方向移動変位Ｈにより誘導される残りの第２加圧ロール１２０ｂの縦方向移動変位Ｈを生成するようにし、前記第２加圧ロール１２０ｂが縦方向移動変位Ｈを通じて前記密着ガイドプレート１３０との接触加圧状態位置と非接触非加圧状態位置の間をスイッチングするように、ドア枠フレーム１ａに設置されるスイッチング装置１００を含んでなる補助ロック装置が提供される。
【００１９】
ここで、前記スイッチング装置１００は、ドア枠フレーム１ａに固定設置されるハウジング１０；ハウジングの前面で縦方向に回動するように前記ハウジング１０に第１ヒンジピン３２により設置される回動レバー３０；前記回動レバー３０の第１ヒンジピン３２と回動端部の間の設定位置に第２ヒンジピン４０ａにより一端部が連結される転換リンクバー４０；前記転換リンクバー４０の他端部に第３ヒンジピン４０ｂにより連結されて前記回動レバー３０の縦方向回動作動に従ってハウジング１０内で縦方向直線スライディング移動するスライディングブロック２０；前記回動レバー３０の縦方向回動作動による前記スライディングブロック２０の変位がハウジング１０内での縦方向直線スライディング変位に制限されるようにするために、前記ハウジング１０の背面をカバーするように形成され、縦方向直線スライディング変位をガイドしその高さを制限する大きさを有するように、縦方向に穿孔形成されたスライディングガイド溝５２を具備した蓋板５０；および前記スライディングブロック２０と一体に形成され、前記蓋板５０に形成された前記スライディングガイド溝５２の外部に突出するように提供されて、前記第１加圧ロール１２０ａに噛み合った状態で前記スライディングガイド溝５２に沿って縦方向にスライディング移動するスライダーフォーク２５を含んでなることを特徴とする、開き戸のロック装置を提供する。
【００２０】
ここで、前記第１加圧ロール１２０ａは前記第２加圧ロール１２０ｂとは異なり、前記密着ガイドプレート１３０と接触する部品ではなく前記スライダーフォーク２５に噛み合う部品であるため、構成要素の名称を異にすることができるが、ドア枠フレーム１ａに設置されるスイッチング装置１００の設置位置が変更される場合に、多数個の加圧ロール１２０のうち第１加圧ロール１２０ａと第２加圧ロール１２０ｂの役割が変更され得るため、本明細書では統一した名称を使っており、このような加圧ロール１２０は、スライダーフォーク２５に噛み合う過程または密着ガイドプレート１３０と接触して移動する過程で過度な摩擦力や摩擦騒音が発生しないように、接触する外周面が中心部に対して自由に回転する円筒形ローラー（ｒｏｌｌｅｒ）で形成されることが好ましい。
【００２１】
また、前記第２加圧ロール１２０ｂが前記密着ガイドプレート１３０との接触加圧状態位置または非接触非加圧状態位置に固定された状態を維持できるようにするために、前記回動レバー３０を回動作動させるように、設定大きさ以上の外力が回動レバー３０に印加される前に回動レバー３０の解除作動を抑制するための回動レバー解除回動抑制手段が、前記スイッチング装置１００にさらに提供されることがさらに好ましい。
【００２２】
ここで、前記回動レバー解除回動抑制手段の一つである第１回動レバー解除回動抑制手段を提供するために、前記スイッチング装置１００を構成する回動レバー３０が前記第１ヒンジピン３２を中心に上方回動して第２ヒンジピン４０ａが第１ヒンジピン３２よりも上方に位置するように回動する間に、第３ヒンジピン４０ｂ、第１ヒンジピン３２、および第２ヒンジピン４０ａが順に上方に傾斜した直線をなす中立状態Ｎ．Ａ．を有し、前記中立状態Ｎ．Ａ．に到達する前にスライディングブロック２０およびスライダーフォーク２５のさらなる自由な上方移動を制限する位置にスライディングガイド溝上限部Ｕ．Ｌ．が設定され、これから中立状態Ｎ．Ａ．までの回動レバー３０の上方回動の間に、スライディングガイド溝上限部Ｕ．Ｌ．を超過する上方変位によって誘導される前記蓋板５０の上部領域５０ｂの弾性圧縮変形を通じて、スライディングブロックおよびスライダーフォークのさらなる上方移動が弾性的に収容され、前記中立状態を超過して回動レバーが垂直上向き状態に至るまでさらに上方回動する区間では、弾性圧縮された前記蓋板５０の上部領域５０ｂの弾性回復変形を通じて第３ヒンジピン４０ｂを通じてリンクバー４０に連結されたスライディングブロック２０およびスライダーフォーク２５の微細下方移動が発生するようにし、微細下方移動を回復できるスライディングブロックおよびスライダーフォークの微細上方移動による前記蓋板５０の上部領域５０ｂの弾性圧縮変形が再遂行され得る大きさの外力が回動レバー３０に印加されるまで回動レバー３０と、そしてスライディングブロック２０およびこれと一体化されたスライダーフォーク２５の反対方向作動（下方回動および下方移動）が制限されるように、前記スライディングガイド溝５２の前記スライディングガイド溝上限部Ｕ．Ｌ．の位置が設定されるようにすることが好ましい。
【００２３】
そして、前記回動レバー解除回動抑制手段のうち他の一つとなる第２回動レバー解除回動抑制手段を提供するために、前記スイッチング装置１００を構成する回動レバー３０が前記第１ヒンジピン３２を中心に垂直下向き状態まで下方回動して、第２ヒンジピン４０ａが第１ヒンジピン３２よりも下方に位置するように回動して第１ヒンジピン３２、第２ヒンジピン４０ａ、および第３ヒンジピン４０ｂが順に下方に三角形の構造に配置される状態を有し、前記垂直下向き状態に到達する前にスライディングブロック２０およびスライダーフォーク２５のさらなる自由な下方移動を制限する位置にスライディングガイド溝下限部Ｌ．Ｌが設定され、これから垂直下向き状態になるまでの回動レバー３０の下方回動の間にスライディングガイド溝下限部Ｌ．Ｌ．を超過する下方変位によって誘導される前記蓋板５０の下部領域５０ａの弾性圧縮変形を通じて、スライディングブロック２０およびスライダーフォーク２５のさらなる下方移動が弾性的に収容され、スライディングブロック２０およびスライダーフォーク２５の自由な下方移動が制限されるスライディングガイド溝下限部Ｌ．Ｌ到達状態を超過して回動レバー３０が垂直下向き状態になるまで下方回動する区間中に回動レバー３０の強制的な追加下方微細移動および復元を誘導できるように、ハウジングと回動レバーの間にレバー下方推進手段およびレバー復元手段が提供されることが好ましく、これにより、前記レバー復元手段から前記レバー下方推進手段を再び経て反対方向に回動する回動レバー３０により回動レバー３０の強制的な追加下方微細移動による前記蓋板下部領域５０ａの弾性圧縮変形が再遂行されるまで回動レバー３０と、そしてスライディングブロック２０およびこれと一体化されたスライダーフォーク２５の反対方向作動（上方回動および上方移動）が制限されるようにする。
【００２４】
ここで、レバー下方推進手段は、ハウジング１０側壁に突出して形成される係止突起１０ｓ；前記係止突起１０ｓと対応するように回動レバー３０の側面に凹入形成される係止溝３０ｓの出入り部に提供される突出係止段３０ｓａ；および前記突出係止段３０ｓａが前記係止突起１０ｓの下端部から係止状態を抜け出す時に進行される回動レバー３０の下方移動が収容されるように、第１ヒンジピン３２が締結される回動レバー３０のヒンジ孔であって、第１ヒンジピン３０に対して上下方向のクリアランスを含む長孔部３０ｅを含んでなり、そしてレバー復元手段は蓋板下部領域５０ａの弾性回復変形；および前記蓋板下部領域５０ａの弾性回復変形を収容できるように提供される係止溝３０ｓの内部の係止突起拡張装着部３０ｓｅを含んで構成される。
【００２５】
以下では本明細書に添付された図面を通じて本発明の好ましい一実施例の細部構成と作動過程をより詳細に説明する。
【００２６】
まず、図２ａに図示された通り、本発明に係る開き戸のロック装置が開き戸１の回転開放側面とドア枠フレーム１ａの間に設置されるが、図２ａの正面図の状態でドアハンドル１ｈによるロック状態の断面をａ−ａ’線断面図で示した図２ｂに図示された通り、ドアハンドル１ｈのみによるロック状態ではロッキングシリンダー１ｓとシリンダーポケット１ｓａの間には一定大きさの作動クリアランス△ｇが必要であるため、開き戸１の回転開放側面とドア枠フレーム１ａの間に間隙が存在する状態となる。図２ａの正面図の状態でｂ−ｂ’線に沿って横断面した状態で本発明に係る補助ロック装置による作動状態を図示するための図面として図２ｃおよび図２ｄが提示されているが、図２ｃは図２ａのｂ−ｂ’線断面図であって、（本発明に係る補助ロック装置による）非圧着／（ドアハンドルによる）ロック状態の状態を示し、そして図２ｄも図２ａのｂ−ｂ’線断面図であって、（本発明に係る補助ロック装置を構成するスイッチング装置１００の回動レバー３０の上向き回動作動による）圧着／（ドアハンドルによる）ロック状態の断面状態を示している。
【００２７】
図２ｃおよび図２ｄの横断面図に示された転換作動状態を具現できるように、図３ａのドア枠フレーム側に対する斜視図に図示された通り、まず本発明に係る開き戸のロック装置がドア枠の一側に設置された状態で回動レバー３０を上方に回動作動させることによって、第１加圧ロール１２０ａが設置された駆動プレート１１０がドア枠フレーム１ａに縦方向に提供されたスライディングポケット１１０ａの内部で縦方向にスライディングされて縦方向移動変位Ｈを提供するようになり、駆動プレート１１０の縦方向移動変位Ｈにより誘導される残りの第２加圧ロール１２０ｂの縦方向移動変位Ｈを生成するようにする。
【００２８】
そして、ドア枠フレーム１ａと開き戸１の回転開放側面に縦方向に離隔して設置される多数個の密着ガイドプレート１３０を縦断面の状態で示した図３ｂに図示された通り、第２加圧ロール１２０ｂの縦方向移動変位Ｈを通じてこれと噛み合うように開き戸１の回転開放側面に提供された多数個の密着ガイドプレート１３０が、ドア枠フレーム側に引かれて（Ｐｕｌｌ）非接触非加圧（非圧着／ロック状態）状態位置から接触加圧状態（圧着／ロック状態）位置への転換作動が発生することになる。
【００２９】
以下では本発明の好ましい一実施例に係る開き戸のロック装置を構成するスイッチング装置において、第２加圧ロール１２０ｂの縦方向移動変位を通じて密着ガイドプレート１３０との接触加圧状態位置と非接触非加圧状態位置の間をスイッチングするためのスイッチング装置１００の作動状態を、図４ａ〜図４ｅに図示されたスイッチング装置１００の段階別分解斜視図および図６ａ〜図６ｅの作動状態段階別断面図を通じてより具体的に詳察する。
【００３０】
図４ａおよび図６ａには、スイッチング装置１００を構成する回動レバー３０がハウジング１０の前面で縦方向に回動するように第１ヒンジピン３２により設置された状態であって、下方回動して最下方（水平面を基準として−９０°）に固定された状態を図示している。この状態から回動レバー３０が第１ヒンジピン３２を中心に上方回動を開始すると、図４ｂに図示された状態となり、さらなる上方回動が進行されるにつれて、図４ｃおよび図６ｂ（水平面を基準として０°）とそして図４ｄおよび図６ｃ、６ｄに図示された通り、回動レバー３０の第１ヒンジピン３２と回動端部の間の設定位置に第２ヒンジピン４０ａにより一端部が連結される転換リンクバー４０と、そして転換リンクバー４０の他端部に第３ヒンジピン４０ｂにより連結されて前記回動レバー３０の上方回動作動に従ってスライディングブロック２０がハウジング１０内で上方でスライディング移動するようになり、そして図４ｅおよび図６ｅに図示された通り、回動レバー３０がハウジング１０の前面で上方回動して最上方（水平面を基準として＋９０°）に固定された状態となる。
【００３１】
また、本発明の好ましい一実施例によると、前記第２加圧ロール１２０ｂが前記密着ガイドプレート１３０との接触加圧状態位置（例えば、最上方回動状態）または非接触非加圧状態位置（例えば、最下方回動状態）で固定された状態を維持できるようにするための手段が必要となるが、例えば最下方回動状態（水平面を基準として−９０°；も４ａ参照）および最上方回動状態（水平面を基準として＋９０°；図４ｅ参照）で前記回動レバー３０を反対方向に回動作動させるように、設定大きさ以上の外力が回動レバー３０に印加される前に回動レバー３０の解除作動を抑制するための回動レバー解除回動抑制手段が、前記スイッチング装置１００にさらに提供される。
【００３２】
ここで、本発明の好ましい一実施例によると、 回動レバー解除回動抑制手段の一つである第１回動レバー解除回動抑制手段は、最上方回動状態（図６ｅのＰｏｓｉｔｉｏｎ（ｂ）−Ｈｉｇｈ  Ｐｏｓｉｔｉｏｎ状態）を固定するために提供されるが、第１回動レバー解除回動抑制手段は、前記スイッチング装置１００を構成する回動レバー３０が前記第１ヒンジピン３２を中心に図４ｂおよび図４ｃと図６ｂ、そして図７ｂおよび図７ｃに図示された通り、上方回動して第２ヒンジピン４０ａが第１ヒンジピン３２よりも上方に位置するように回動する間（図４ｄに図示された回動レバーの［Ａ］区間作動；正関節：Ｒｅｇｉｏｎ（ｓ）で図６ｂ、図６ｃ、図６ｄ、図７ｂ、図７ｃに表示）に、図４ｄ、図６ｄ、および図７ｄに図示された通り、第３ヒンジピン４０ｂ、第１ヒンジピン３２、および第２ヒンジピン４０ａが順に上方に傾斜した直線をなす中立状態Ｎ．Ａ．を有するようになり、図６ｃおよび図７ｃに図示された通り、前記中立状態Ｎ．Ａ．に到達する前にスライディングブロック２０およびスライダーフォーク２５のさらなる自由な上方移動を制限する位置にスライディングガイド溝上限部Ｕ．Ｌ．が設定され、これから蓋板５０の上部領域５０ｂの圧縮変形が開始（図７ｃに「変形開始点」で表示）されて図４ｄ、図６ｄ、図７ｄの中立状態Ｎ．Ａ．までの回動レバー３０の上方回動の間に、スライディングガイド溝上限部Ｕ．Ｌ．を超過する上方変位によって誘導される前記蓋板５０の上部領域５０ｂの弾性圧縮変形（図６ｄの最大圧縮変形＝△ｔ１；例示的な実施例を図示した図７ｄの「０．６１９ｍｍ」）を通じて、スライディングブロック２０およびスライダーフォーク２５のさらなる上方移動が弾性的に収容され（スライディングブロック２０およびスライダーフォーク２５が図６ｄのＰｏｓｉｔｉｏｎ（ｎ）−中立位置まで上方移動）、そして前記中立状態を超過して図４ｅ、図６ｅ、および図７ｅに図示された通り、回動レバーが垂直上向き状態（最上方回動状態；水平面を基準として＋９０°）に至るまでさらに上方回動する区間（逆関節：Ｒｅｇｉｏｎ（ｒ）で図６ｄおよび図７ｄに表示）では弾性圧縮された前記蓋板５０の上部領域５０ｂの弾性回復変形（圧縮緩和；圧縮変形＝△ｔ２＜△ｔ１；第１ヒンジピンから突出係止段まで回動半径（ａ）が８３ｍｍで形成された例示的な実施例装置を模式的に図示した図７ｅの「０．１ｍｍ」）を通じて、第３ヒンジピン４０ｂを通じてリンクバー４０に連結されたスライディングブロック２０およびスライダーフォーク２５の微細下方移動が発生するようにし（ヒンジピンリンクの機構学的構造により、第１ヒンジピン３２を中心に第２ヒンジピン４０ａが上方回動する区間で転換リンクバー４０により連結された第３ヒンジピン４０ｂが上方スライディング移動せず、かえって下方スライディング移動；「逆関節」で表示；図４ｄに図示された回動レバーの［Ｂ］区間作動；スライディングブロック２０およびスライダーフォーク２５が図６ｅのＰｏｓｉｔｉｏｎ（ｂ）−Ｈｉｇｈ  Ｐｏｓｉｔｉｏｎまで微細下方移動）、上方回動過程中に発生したこのような微細下方移動（結果として、蓋板５０の上部領域５０ｂの圧縮緩和）を回復できる��ライディングブロック２０およびスライダーフォーク２５の微細上方移動による前記蓋板５０の上部領域５０ｂの弾性圧縮変形（図６ｆの△ｔ１；第１ヒンジピンから突出係止段まで回動半径（ａ）が８３ｍｍで形成された例示的な実施例装置を模式的に図示した図７ｆの「０．６１９ｍｍ」）が、図６ｆおよび図７ｆのように再遂行され得る大きさの外力Ｆが回動レバー３０に印加されるまで回動レバー３０と、そしてスライディングブロック２０およびこれと一体化されたスライダーフォーク２５の反対方向作動（図４ｅに図示された回動レバーの［Ｂ］区間作動、図６ｆおよび図７ｆに示された回動レバーの下方回動とそしてスライディングブロックおよびこれと一体化されたスライダーフォークの下方移動；すなわち回動レバーの解除）が制限されることになる。
【００３３】
すなわち、スライディングブロック２０およびスライダーフォーク２５の上方固定状態（接触加圧状態、圧着／ロック状態）から回動レバー３０の反対作動を通じてスライディングブロック２０およびスライダーフォーク２５の上方固定状態が解除されるためには、図６ｆおよび図７ｆのように相当な大きさの反対方向の外力Ｆが回動レバー３０に印加されなければならないため、このような固定状態が安定的に維持されるようになる。
【００３４】
また、このように弾性的な材料で製作される蓋板５０の上部領域５０ｂで前記スライディングガイド溝５２の前記スライディングガイド溝上限部Ｕ．Ｌ．が適切な位置に設定されることによって、回動レバー３０に印加されるべきロックまたは解除回動に必要な適切な外力の大きさが設定され、これによって適切な第１回動レバー解除回動抑制手段が提供されるのである。
【００３５】
一方、このような回動レバー解除回動抑制手段が回動レバー３０が第１ヒンジピン３２を中心に垂直下向き状態まで下方回動する区間にも必要となるが、添付図面図５ａに図示された通り、第１ヒンジピン３２の設置軸平面Ｒ．Ａ．がスライディングブロック２０と連結された第３ヒンジピン４０ｂの設置軸平面Ｖ．Ｓ．、すなわち第３ヒンジピン４０ｂの縦方向直線スライディング軸平面よりも△ｄ（図５ａ参照）だけ前面に配置される構造（すなわち、３個のヒンジピンが直線をなす中立状態が角度θだけ傾斜方向に形成される構造）であるため、回動レバー３０が第１ヒンジピン３２を中心に垂直上向き状態まで上方回動する区間ではハウジングの前面に中立状態Ｎ．Ａ．が形成されて逆関節領域（Ｒｅｇｉｏｎ（ｒ））が発生するようになるが、その反面、回動レバー３０が第１ヒンジピン３２を中心に下方回動する区間では垂直下向き状態となるまでハウジングの前面では中立状態Ｎ．Ａ．が形成されないため（図５ｂに図示された通り、垂直下向き状態を越えてハウジングの背面で仮想の下方中立状態Ｎ．Ａ．と仮想の逆関節領域（Ｒｅｇｉｏｎ（ｒ’））が形成されることが表示）、他の構造の回動レバー解除回動抑制手段を採択する必要が発生する。
【００３６】
これを解決するために本発明の好ましい実施例では、回動レバー解除回動抑制手段のうち他の一つとなる第２回動レバー解除回動抑制手段を最下方回動状態（図６ａのＰｏｓｉｔｉｏｎ（ａ）−Ｌｏｗ  Ｐｏｓｉｔｉｏｎ状態）を固定するために提供するが、このような第２回動レバー解除回動抑制手段として、前記スイッチング装置１００を構成する回動レバー３０が前記第１ヒンジピン３２を中心に図７ｇから図７ｊに至るまで垂直下向き状態まで下方回動して、第２ヒンジピン４０ａが第１ヒンジピン３２よりも下方に位置するように回動して第１ヒンジピン３２、第２ヒンジピン４０ａ、および第３ヒンジピン４０ｂが順に下方に三角形の構造に配置される状態を有し、前記垂直下向き状態に到達する前にスライディングブロック２０およびスライダーフォーク２５のさらなる自由な下方移動を制限する位置にスライディングガイド溝下限部Ｌ．Ｌが設定され、これから垂直下向き状態になるまでの回動レバー３０の下方回動の間にスライディングガイド溝下限部Ｌ．Ｌ．を超過する下方変位によって誘導される前記蓋板５０の下部領域５０ａの弾性圧縮変形を通じて、スライディングブロック２０およびスライダーフォーク２５のさらなる下方移動が弾性的に収容され、スライディングブロック２０およびスライダーフォーク２５の自由な下方移動が制限されるスライディングガイド溝下限部Ｌ．Ｌ到達状態を超過して回動レバー３０が垂直下向き状態になるまで下方回動する区間中に回動レバー３０の強制的な追加下方微細移動および復元を誘導できるように、ハウジング１０と回動レバー３０の間にレバー下方推進手段およびレバー復元手段が提供されることが好ましく、これにより、前記レバー復元手段から前記レバー下方推進手段を再び経て反対方向に回動する回動レバー３０により回動レバー３０の強制的な追加下方微細移動による前記蓋板下部領域５０ａの弾性圧縮変形が再遂行されるまで回動レバー３０と、そしてスライディングブロック２０およびこれと一体化されたスライダーフォーク２５の反対方向作動（上方回動および上方移動）が制限されるようにする。
【００３７】
ここで、レバー下方推進手段は前述した通り、ハウジング１０側壁に突出して形成される係止突起１０ｓ；前記係止突起１０ｓと対応するように回動レバー３０の側面に凹入形成される係止溝３０ｓの出入り部に提供される突出係止段３０ｓａ；および前記突出係止段３０ｓａが前記係止突起１０ｓの下端部から係止状態を抜け出す時に進行される回動レバー３０の下方移動が収容されるように、第１ヒンジピン３２が締結される回動レバー３０のヒンジ孔であって、第１ヒンジピン３０に対して上下方向のクリアランス△ｒを含む長孔部３０ｅを含んでなり、そしてレバー復元手段は蓋板下部領域５０ａの弾性回復変形；および前記蓋板下部領域５０ａの弾性回復変形を収容できるように提供される係止溝３０ｓの内部の係止突起拡張装着部３０ｓｅを含んで構成される。
【００３８】
ここで、前記長孔部３０ｅの上下方向のクリアランス△ｒは、突出係止段３０ｓａの高さ△ｓより大きく設定されることが好ましい（図４ｂ、図６ａ、図７ｊ参照）。
【００３９】
以下では、前記レバー下方推進手段と前記レバー復元手段の具体的な作動過程を添付図面図７ｇから図７ｋまでの図面を参照してより詳細に詳察する。
【００４０】
図７ｇに図示された通り、スイッチング装置１００を構成する回動レバー３０が前記第１ヒンジピン３２を中心に下方回動して、第２ヒンジピン４０ａが第１ヒンジピン３２よりも下方に位置するように回動して第１ヒンジピン３２、第２ヒンジピン４０ａ、および第３ヒンジピン４０ｂが順に下方に三角形の構造に配置される状態を有しつつ、前記垂直下向き状態に到達する前にスライディングブロック２０およびスライダーフォーク２５のさらなる自由な下方移動を制限する位置にスライディングガイド溝下限部Ｌ．Ｌに到達すると（変形開始点）、これから図７ｈの段階に達するまでの回動レバー３０の下方回動の間にスライディングガイド溝下限部Ｌ．Ｌ．を超過する下方変位は前記蓋板５０の下部領域５０ａの弾性圧縮変形（第１ヒンジピンから突出係止段まで回動半径（ａ）が８３ｍｍで形成された例示的な実施例装置を模式的に図示した図７ｈの「０．５ｍｍ」変形）を通じて達成されることになるが、これにより、スライディングブロック２０およびスライダーフォーク２５のさらなる下方移動が弾性的に収容される。
【００４１】
このようにスライディングブロック２０およびスライダーフォーク２５の自由な下方移動が制限されるスライディングガイド溝下限部Ｌ．Ｌ到達状態を超過して回動レバー３０が垂直下向き状態になるまで下方回動する区間（図７ｈ、図７ｉ、図７ｊ）中に、まず回動レバー３０の強制的な追加下方微細移動、すなわち第１ヒンジピン３２の強制的な追加下方微細移動を誘導しなければならないが、このために下方回動する回動レバー３０の側面に凹入形成される係止溝３０ｓの出入り部に突出係止段３０ｓａがハウジング１０側壁に突出して形成された係止突起１０ｓの下端部と一次的に係止状態になるようにし、そして△ｓ高さの前記突出係止段３０ｓａが前記係止突起１０ｓの下端部から係止状態を抜け出すように追加的に強制進行される場合に発生する回動レバー３０のさらなる下方移動は、前記第１ヒンジピン３２が締結される回動レバー３０のヒンジ孔であって、第１ヒンジピン３２に対して上下方向のクリアランス（△ｒ＞△ｓ）を含む長孔部３０ｅにより収容される。第１ヒンジピン３２に対してヒンジ孔の長孔部３０ｅに現れる上下方向のクリアランスのそれぞれは、図面に図面番号として上方クリアランス「３０ｅ１」および下方クリアランス「３０ｅ２」で示している。
【００４２】
その結果、ハウジング１０の側壁に突出して形成された係止突起１０ｓの下端部との係止状態を決定する突出係止段３０ｓａの突出した高さ△ｓだけの第１ヒンジピン３２の強制的な追加下方微細移動が行われるようになり、このとき、第１ヒンジピン３２はヒンジ孔の長孔部３０ｅに上方クリアランス３０ｅ１は縮小（０．４→０．２０８ｍｍ）され、下方クリアランス３０ｅ２は拡大（０→０．１９２ｍｍ）しながらその移動を可能とし、このような第１ヒンジピン３２の追加下方微細移動はこれと連結された第２ヒンジピン４０ａを通じて連結された転換リンクバー４０、そしてその他端部に第３ヒンジピン４０ｂを通じて連結されたスライディングブロック２０およびスライダーフォーク２５のさらなる下方微細移動を誘導するようになるが、この時、前記蓋板５０の下部領域５０ａの追加的な弾性圧縮変形（第１ヒンジピンから突出係止段まで回動半径（ａ）が８３ｍｍで形成された例示的な実施例装置を模式的に図示した図７ｉの「０．６５７ｍｍ」変形）を通じて達成される。
【００４３】
ここで、このような追加的な弾性圧縮状態で回動レバー３０の回動が終了することになると、このような状態は蓋板５０の下部領域５０ａの弾発力（弾性回復変形を起こす弾性力）により不安定な状態となるが、その不安要素を除去し安定した固定状態  を維持するためにレバー復元手段が提供されるが、前述したさらなる下方微細移動状態から回動レバー３０の若干の追加的な下方回動が行われることになるため、−９０°の下方固定状態となると、係止突起１０ｓが回動レバー３０の係止溝３０ｓの出入り部（突出係止段がある部分）を通り過ぎてその内部の係止突起拡張装着部３０ｓｅに装着されることになり、△ｓ高さの前記突出係止段３０ｓａと前記係止突起１０ｓの下端部の係止状態が復元され得るが、これは蓋板下部領域５０ａの弾性回復変形（０．６５７→０．５ｍｍ）により進行されるようになり、その間第１ヒンジピン３２はヒンジ孔の長孔部３０ｅで上方クリアランス３０ｅ１は再び拡大（０．２０８→０．４ｍｍ）され、下方クリアランス３０ｅ２は再び縮小（０．１９２→０ｍｍ）されることになり、その移動（レバーの上方移動；すなわちレバーの復元移動）が可能となる。
【００４４】
これによって、図７ｋに図示された通り、前記レバー復元手段および前記レバー下方推進手段を再び経るように、設定大きさの外力Ｆによる回動レバー３０の下方移動および反対方向回動が行われ得るために、回動レバー３０の強制的な追加下方微細移動による前記蓋板下部領域５０ａの弾性再圧縮変形（第１ヒンジピンから突出係止段まで回動半径（ａ）が８３ｍｍで形成された例示的な実施例装置を模式的に図示した図７ｋの「０．６５７ｍｍ」変形）が再遂行されるまで回動レバー３０と、そしてスライディングブロック２０およびこれと一体化されたスライダーフォーク２５の反対方向作動（上方回動および上方移動）が制限されることになる。
【００４５】
本発明を構成するスイッチング装置１００の構成要素として提供される転換リンクバー４０の両端部は、第２ヒンジピン４０ａと第３ヒンジピン４０ｂを通じて回動レバー３０およびスライディングブロック２０に結合されることになるが、このような結合において転換リンクバー４０の両端部との干渉障害が発生しないように、回動レバー３０およびスライディングブロック２０に設定大きさおよび形状の端部収容溝（３０ａ、２０ａ；図４ｂ参照）が提供されることが好ましく、このような端部収容溝３０ａ、２０ａに転換リンクバー４０の両端部が収容されるようにすることによって、折り畳み時に最小空間が要されるコンパクトな構造を有することができるようになる。
【００４６】
併せて、スライディングブロック２０がハウジング１０内で騒音なしに円滑に縦方向直線スライディング移動を進行できるように、スライディングブロック２０とハウジング１０の間には自己潤滑性を有する素材、例えばフッ化炭素複合体、ポリオキシメチレン、ナイロンモノマー、ＭＣナイロン、高分子ポリエチレン、テフロン（登録商標）を含むグループから選択される一つ以上の成分を主原料とする、自己潤滑性がある材料（例えば、「Ｔｕｒｃｉｔｅ（登録商標）」製品）を含んで形成されるスライディングガイドパッド（１５；；図３ｂおよび図６ａ参照）が設置されることがさらに好ましい。
【００４７】
以上、本発明の好ましい実施例について詳細に説明しながら、回動レバーの回動方向および回動レバー解除回動抑制手段の設置位置などを説明するにおいて、上方と下方という方向概念を有する用語を使っているが、これは本発明と同じ装置をドア枠フレームに図面に例示された方向のように設置した時を前提としたものであって、本発明に係るロック装置を異なる方向に設置した場合には上下方向が反対となり得、または左右方向になり得ることは言うまでもなく、その方向関連用語は本発明の権利範囲を限定しないものと理解されるべきであり、下記の特許請求の範囲で定義している本発明の基本概念を利用した当業者の多様な変形および改良形態も本発明の権利範囲に属するものである。
【符号の説明】
【００４８】
１：開き戸
１ａ：ドア枠フレーム
１１０：駆動プレート
１２０：加圧ロール
１３０：密着ガイドプレート
１００：スイッチング装置
１０：ハウジング
２０：スライディングブロック
２５：スライダーフォーク
３０：回動レバー
３２：第１ヒンジピン
４０：転換リンクバー
４０ａ：第２ヒンジピン
４０ｂ：第３ヒンジピン
５０：蓋板
５２：スライディングガイド溝
Ｕ．Ｌ．：スライディングガイド溝上限部
Ｌ．Ｌ．：スライディングガイド溝下限部
【図１ａ】
2019527787.tif 000003
【図１ｂ】
2019527787.tif 000004
【図１ｃ】
2019527787.tif 000005
【図２ａ】
2019527787.tif 000006
【図２ｂ】
2019527787.tif 000007
【図２ｃ】
2019527787.tif 000008
【図２ｄ】
2019527787.tif 000009
【図３ａ】
2019527787.tif 000010
【図３ｂ】
2019527787.tif 000011
【図４ａ】
2019527787.tif 000012
【図４ｂ】
2019527787.tif 000013
【図４ｃ】
2019527787.tif 000014
【図４ｄ】
2019527787.tif 000015
【図４ｅ】
2019527787.tif 000016
【図５ａ】
2019527787.tif 000017
【図５ｂ】
2019527787.tif 000018
【図６ａ】
2019527787.tif 000019
【図６ｂ】
2019527787.tif 000020
【図６ｃ】
2019527787.tif 000021
【図６ｄ】
2019527787.tif 000022
【図６ｅ】
2019527787.tif 000023
【図６ｆ】
2019527787.tif 000024
【図７ａ】
2019527787.tif 000025
【図７ｂ】
2019527787.tif 000026
【図７ｃ】
2019527787.tif 000027
【図７ｄ】
2019527787.tif 000028
【図７ｅ】
2019527787.tif 000029
【図７ｆ】
2019527787.tif 000030
【図７ｇ】
2019527787.tif 000031
【図７ｈ】
2019527787.tif 000032
【図７ｉ】
2019527787.tif 000033
【図７ｊ】
2019527787.tif 000034
【図７ｋ】
2019527787.tif 000035
【国際調査報告】
2019527787.tif 000036
2019527787.tif 000037
2019527787.tif 000038
2019527787.tif 000039